(57)【要約】【課題】ＬＥＤ等の発光素子を用いた照明装置において、出射される光量の分布の均一性と高密度性という両特性を兼ね備える照明装置を提供する。【解決手段】中空の筐体１０と、筐体１０の内部に配置される１又は複数の発光素子２０と、筐体１０の内部に設けられ、発光素子２０から出射された光を拡散反射させる拡散反射部３０と、筐体１０の開口部として設けられ、発光素子２０から出射され拡散反射部３０で拡散反射された光を光束として筐体１０の外部へ出射する光出射部４０と、を備える照明装置１において、発光素子２０を、光出射部４０を通して筐体１０外部から筐体１０内部を見た場合の視野の範囲外に配置した。【選択図】図１
2014110203.tif 000002
【特許請求の範囲】
【請求項１】
中空の筐体と、
前記筐体の内部に配置される１又は複数の発光素子と、
前記筐体の内部に設けられ、前記発光素子から出射された光を拡散反射させる拡散反射部と、
前記筐体の開口部として設けられ、前記発光素子から出射され前記拡散反射部で拡散反射された光を光束として前記筐体の外部へ出射する光出射部と、
を備え、
前記発光素子は、前記光出射部を通して前記筐体外部から前記筐体内部を見た場合の視野の範囲外に配置される
ことを特徴とする、照明装置。
【請求項２】
前記筐体が、筒状の形状を有し、
前記発光素子が、前記筐体の長手方向に所定の間隔をおいて配置されており、
前記拡散反射部が、前記筐体の内面の少なくとも一部に設けられる反射面であり、
前記光出射部が、前記筐体の長手方向に沿って形成されたスリット状の開口部である
ことを特徴とする、請求項１に記載の照明装置。
【請求項３】
前記発光素子が、前記光出射部を挟む２列の直線状に配置されることを特徴とする、請求項２に記載の照明装置。
【請求項４】
前記発光素子が、前記筐体の長手方向に千鳥配置となるように配置されることを特徴とする、請求項３に記載の照明装置。
【請求項５】
スリット状の前記光出射部の幅を調整可能な遮光部材をさらに備えることを特徴とする、請求項２〜４のいずれか一項に記載の照明装置。
【請求項６】
前記遮光部材が、前記筐体内側の面に、前記発光素子から出射された光を拡散反射させる反射面を有することを特徴とする、請求項５に記載の照明装置。
【請求項７】
前記光出射部が、前記開口部に配置された均一な厚みを有する透明な導光板であることを特徴とする、請求項２〜６のいずれか一項に記載の照明装置。
【請求項８】
前記導光板が、光ファイバ又は屈折率分布型レンズの配列であることを特徴とする、請求項７に記載の照明装置。
【請求項９】
前記光ファイバ又は屈折率分布型レンズを、前記光出射部からの光の出射方向に対して３〜４０度をつけて配列させることを特徴とする、請求項８に記載の照明装置。
【請求項１０】
前記光出射部の幅を０．１〜３．０ｍｍの範囲とし、
前記光出射部から所定距離離隔した位置に、前記光出射部の長手方向と平行に設置される棒状の集光レンズをさらに備え、
前記集光レンズは、前記光出射部から出射した光束を、前記光出射部の長手方向に対して直交する方向の長さが短くなるように集光させることを特徴とする、請求項２〜９のいずれか一項に記載の照明装置。
【請求項１１】
前記筐体の外形及び内部の空洞部分が、それぞれ、略球状、略扁球状又は略多面体状の形状を有し、
前記拡散反射部が、前記筐体の内面の少なくとも一部に設けられる反射面であり、
前記光出射部が、前記筐体の周面に設けられた貫通孔である
ことを特徴とする、請求項１に記載の照明装置。
【請求項１２】
前記貫通孔の大きさを調整可能な遮光部材をさらに備えることを特徴とする、請求項１１に記載の照明装置。
【請求項１３】
前記遮光部材が、前記筐体内側の面に、前記発光素子から出射された光を拡散反射させる反射面を有することを特徴とする、請求項１２に記載の照明装置。
【請求項１４】
前記貫通孔に、光ファイバの単芯若しくは束、又は透明なロッド体を設置することを特徴とする、請求項１１〜１３のいずれか一項に記載の照明装置。
【請求項１５】
前記光出射部から所定距離離隔した位置に集光レンズをさらに備え、
前記集光レンズは、前記光出射部から出射した光束を線状又は点状に集光させることを特徴とする、請求項１１〜１４のいずれか一項に記載の照明装置。
【請求項１６】
前記発光素子が複数配置されており、
各発光素子の発光時間をそれぞれ独立的に制御する発光制御装置をさらに備えることを特徴とする、請求項１〜１５のいずれか一項に記載の照明装置。
【請求項１７】
前記発光素子として、赤外光から紫外光までの複数種類の波長の光を出射する発光素子がそれぞれ単独又は複数配置されており、
それぞれの前記発光素子から出射された光を前記拡散反射部で拡散反射させることにより、複数種類の波長の光を混合させた混合光とし、前記混合光を前記光出射部から出射させることを特徴とする、請求項１〜１６のいずれか一項に記載の照明装置。
【請求項１８】
前記発光素子として、赤外光から紫外光までの複数種類の波長の光を出射する発光素子がそれぞれ単独又は複数配置されており、
前記照明装置が設置される撮像装置の露光時間に同期させて各波長を有する発光素子を発光させる発光制御装置をさらに備えることを特徴とする、請求項１〜１７のいずれか一項に記載の照明装置。
【請求項１９】
前記発光素子が、発光ダイオード又はレーザであることを特徴とする、請求項１〜１８のいずれか一項に記載の照明装置。
【請求項２０】
前記筐体の外周面にヒートシンクが設けられることを特徴とする、請求項１〜１９のいずれか一項に記載の照明装置。
【請求項２１】
前記筐体内部の空洞部分の断面形状が、重心に対して点対称の形状を有することを特徴とする、請求項１〜２０のいずれか一項に記載の照明装置。
【請求項２２】
棒状の透明体と、
前記透明体の一部に内側向きに配置される１又は複数の発光素子と、
前記透明体の外周面の前記発光素子が設置されていない部分に設けられ、前記発光素子から出射された光を拡散反射させる拡散反射部と、
前記透明体のうち前記拡散反射部が設けられていない領域として設けられ、前記発光素子から出射され前記拡散反射部で拡散反射された光を光束として前記透明体の外部へ出射する光出射部と、
を備え、
前記発光素子は、前記光出射部を通して前記透明体外部から前記透明体内部を見た場合の視野の範囲外に配置される
ことを特徴とする、照明装置。
【発明の詳細な説明】
【技術分野】
【０００１】
本発明は、高輝度の照明装置、特に、発光ダイオード（ＬＥＤ：Ｌｉｇｈｔ  Ｅｍｉｔｔｉｎｇ  Ｄｉｏｄｅ）等の発光素子を用いた照明装置に関する。
【背景技術】
【０００２】
これまでのＬＥＤ発光素子を用いた照明装置においては、面状の光束を出射する面照明用の光源を作製する際、そのままでは均一な光束密度を有する面照明とすることが困難である。そのため、拡散板等（例えば、拡散レンズ、拡散フィルタ等）を用いて各発光素子から出射された光を満遍なく拡散させることにより、均一な光束密度を有する面照明用の光源を得る、という手法が一般に広く採用されている。
【０００３】
例えば、特許文献１には、並設された光源からの光を、光源の並設方向に拡散させる拡散レンズと、線状に集光させるようにした集光レンズを設置して、線状で均一な光を得る技術が開示されている。しかし、特許文献１の技術では、光源からの光を拡散レンズに通すため、輝度が落ちてしまうことが避けられないだけでなく、一旦所定の幅の光束となった光を、より幅の狭い範囲に集光させることはできない。
【０００４】
また、特許文献２には、光の出射面に対して背面側にＬＥＤを設置し、導光体を通して直接出射しようとするＬＥＤの光を、放射側反射手段によって内側に反射させるとともに、放射側反射手段に光が透過する隙間を用意し、指向性の強いＬＥＤの光を均一に拡散させる技術が開示されている。しかし、特許文献２の技術では、均一な光束を得ることはできるが、高密度な光束を得ることはできない。また、複雑な穴形状を有する放射側反射手段が必要となる。
【０００５】
さらに、特許文献３には、底面側にＬＥＤを設置し、穴のある反射板と穴から出射された光を拡散させる拡散板を設置して、光を均一にする技術が開示されている。しかし、特許文献３の技術では、特許文献２の技術と同様に、均一な光束を得ることはできるが、高密度な光束を得ることはできない。
【０００６】
また、特許文献４には、エッジ側にＬＥＤ光源を用意し、反射面と拡散放光照明板を有する導光空洞体の中で光を均一化させる技術が開示されている。しかし、特許文献４の技術においても、均一な光束を得ることはできるが、高密度な光束を得ることはできない。
【先行技術文献】
【特許文献】
【０００７】
【特許文献１】特開２００７−２２５５９１号公報
【特許文献２】特開２００８−０２７８８６号公報
【特許文献３】特開２０１２−１７４３７２号公報
【特許文献４】特開２０１２−０７４３６２号公報
【発明の概要】
【発明が解決しようとする課題】
【０００８】
以上のように、これまでのＬＥＤ発光素子を用いた照明装置では、均一な光束を得ることはできる、すなわち、光の均一性を実現することはできるが、ＬＥＤ発光素子から出射された光を入射させるための拡散効果の高い拡散板等を配置するため、この拡散板等を透過する光の減損が多く、ＬＥＤ発光素子から出射する光量に対して、実際に被照射物に到達する光量は少なくなってしまい、例えば、このような照明装置を撮像装置用の照明装置として使用するような場合には、光の取り出し効率が悪いという問題があった。これに対して、高輝度の照明装置とするためには、高出力のＬＥＤ発光素子を多数配置する必要があるか、或いは、そのＬＥＤ発光素子から発生する熱を冷却する必要がある等の問題があった。また、光の減損を少なくするために、拡散板等を薄くすると、ＬＥＤ発光素子が粒状に視認されてしまう、という問題もあった。
【０００９】
そこで、本発明は、上記事情に鑑みてなされたものであり、ＬＥＤ等の発光素子を用いた照明装置において、出射される光量の分布の均一性と高密度性という両特性を兼ね備える照明装置を提供することを目的とする。
【課題を解決するための手段】
【００１０】
上記課題を解決するために、本発明によれば、中空の筐体と、前記筐体の内部に配置される１又は複数の発光素子と、前記筐体の内部に設けられ、前記発光素子から出射された光を拡散反射させる拡散反射部と、前記筐体の開口部として設けられ、前記発光素子から出射され前記拡散反射部で拡散反射された光を光束として前記筐体の外部へ出射する光出射部と、を備え、前記発光素子は、前記光出射部を通して前記筐体外部から前記筐体内部を見た場合の視野の範囲外に配置される、照明装置が提供される。
【００１１】
ここで、前記筐体が、筒状の形状を有し、前記発光素子が、前記筐体の長手方向に所定の間隔をおいて配置されており、前記拡散反射部が、前記筐体の内面の少なくとも一部に設けられる反射面であり、前記光出射部が、前記筐体の長手方向に沿って形成されたスリット状の開口部であってもよい。
【００１２】
この場合に、前記発光素子が、前記光出射部を挟む２列の直線状に配置されることが好ましい。
【００１３】
また、前記発光素子が、前記筐体の長手方向に千鳥配置となるように配置されることが好ましい。
【００１４】
また、前記照明装置は、スリット状の前記光出射部の幅を調整可能な遮光部材をさらに備えていてもよい。
【００１５】
この場合に、前記遮光部材が、前記筐体内側の面に、前記発光素子から出射された光を拡散反射させる反射面を有していてもよい。
【００１６】
また、前記光出射部が、前記開口部に配置された均一な厚みを有する透明な導光板であってもよい。
【００１７】
また、前記導光板が、光ファイバ又は屈折率分布型レンズの配列であってもよい。
【００１８】
この場合に、前記光ファイバ又は屈折率分布型レンズを、前記光出射部からの光の出射方向に対して３〜４０度をつけて配列させてもよい。
【００１９】
また、前記光出射部の幅を０．１〜３．０ｍｍの範囲とし、前記照明装置は、前記光出射部から所定距離離隔した位置に、前記光出射部の長手方向と平行に設置される棒状の集光レンズをさらに備え、前記集光レンズは、前記光出射部から出射した光束を、前記光出射部の長手方向に対して直交する方向の長さが短くなるように集光させるようにしてもよい。
【００２０】
また、前記筐体の外形及び内部の空洞部分が、それぞれ、略球状、略扁球状又は略多面体状の形状を有し、前記拡散反射部が、前記筐体の内面の少なくとも一部に設けられる反射面であり、前記光出射部が、前記筐体の周面に設けられた貫通孔であってもよい。
【００２１】
この場合に、前記照明装置は、前記貫通孔の大きさを調整可能な遮光部材をさらに備えていてもよい。
【００２２】
また、前記遮光部材が、前記筐体内側の面に、前記発光素子から出射された光を拡散反射させる反射面を有していてもよい。
【００２３】
また、前記照明装置において、前記貫通孔に、光ファイバの単芯若しくは束、又は透明なロッド体を設置してもよい。
【００２４】
また、前記照明装置は、前記光出射部から所定距離離隔した位置に集光レンズをさらに備え、前記集光レンズは、前記光出射部から出射した光束を線状又は点状に集光させるようにしてもよい。
【００２５】
また、前記発光素子が複数配置されており、前記照明装置は、各発光素子の発光時間をそれぞれ独立的に制御する発光制御装置をさらに備えていてもよい。
【００２６】
また、前記発光素子として、赤外光から紫外光までの複数種類の波長の光を出射する発光素子がそれぞれ単独又は複数配置されており、前記照明装置は、それぞれの前記発光素子から出射された光を前記拡散反射部で拡散反射させることにより、複数種類の波長の光を混合させた混合光とし、前記混合光を前記光出射部から出射させるようにしてもよい。
【００２７】
また、前記発光素子として、赤外光から紫外光までの複数種類の波長の光を出射する発光素子がそれぞれ単独又は複数配置されており、前記照明装置は、前記照明装置が設置される撮像装置の露光時間に同期させて各波長を有する発光素子を発光させる発光制御装置をさらに備えていてもよい。
【００２８】
また、前記発光素子が、発光ダイオード又はレーザであってもよい。
【００２９】
また、前記筐体の外周面にヒートシンクが設けられてもよい。
【００３０】
また、前記筐体内部の空洞部分の断面形状が、重心に対して点対称の形状を有することが好ましい。
【００３１】
また、本発明によれば、棒状の透明体と、前記透明体の一部に内側向きに配置される１又は複数の発光素子と、前記透明体の外周面の前記発光素子が設置されていない部分に設けられ、前記発光素子から出射された光を拡散反射させる拡散反射部と、前記透明体のうち前記拡散反射部が設けられていない領域として設けられ、前記発光素子から出射され前記拡散反射部で拡散反射された光を光束として前記透明体の外部へ出射する光出射部と、を備え、前記発光素子は、前記光出射部を通して前記透明体外部から前記透明体内部を見た場合の視野の範囲外に配置される、照明装置が提供される。
【００３２】
以上のような構成を有する本発明に係る照明装置によれば、中空の筐体内部に設置した発光素子から出射された光を筐体内部で多重拡散反射させながら、筐体内部に光を封じ込めることにより、光量分布の均一性を達成させるとともに、筐体の一部に内部に封じ込められた光が出射できる開口等を設け、当該開口等のみから光を出射できるようにすることにより、光量の均一性と高密度性を同時に実現することができる。
【発明の効果】
【００３３】
本発明によれば、ＬＥＤ等の発光素子を用いた照明装置において、中空の筐体内部に設置した発光素子から出射された光を筐体内部で多重拡散反射させながら、筐体内部に光を封じ込めることにより、出射される光量の分布の均一性と高密度性という両特性を兼ね備える照明装置を提供することが可能となる。
【図面の簡単な説明】
【００３４】
【図１】本発明の第１実施形態に係る照明装置の全体構成を示す斜視図である。
【図２】同実施形態に係る照明装置の全体構成を示す上面図（ａ）、正面図（ｂ）及び側面図（ｃ）である。
【図３】同実施形態に係る照明装置の組立方法を示す分解斜視図である。
【図４】同実施形態に係る発光素子基板の構成を示す下面図（ａ）及び側面図（ｂ）である。
【図５】図１の照明装置をＡ−Ａ線で切断した断面図である。
【図６】同実施形態に係る照明装置の構成を概略的に示す断面図である。
【図７】同実施形態の第１変更例に係る照明装置の構成を概略的に示す断面図である。
【図８】同実施形態の第２変更例に係る照明装置の構成を概略的に示す断面図である。
【図９】同実施形態の第３変更例に係る照明装置の構成を概略的に示す断面図である。
【図１０】同実施形態の第４変更例に係る照明装置の構成を概略的に示す断面図である。
【図１１】同実施形態の第５変更例に係る照明装置の構成を概略的に示す断面図である。
【図１２】同実施形態の第５変更例に係る照明装置の構成を概略的に示す断面図である。
【図１３】同実施形態の第６変更例に係る照明装置の構成を概略的に示す断面図である。
【図１４】同実施形態の第７変更例に係る照明装置の構成を概略的に示す断面図である。
【図１５】同実施形態の第７変更例に係る照明装置の構成を概略的に示す断面図である。
【図１６】本発明の第２実施形態に係る照明装置の全体構成を示す斜視図である。
【図１７】同実施形態に係る照明装置の全体構成を示す上面図（ａ）、正面図（ｂ）及び底面図（ｃ）である。
【図１８】図１６の照明装置をＢ−Ｂ線で切断した断面図である。
【図１９】同実施形態に係る照明装置の構成を概略的に示す斜視図である。
【図２０】同実施形態の第１変更例に係る照明装置の構成を概略的に示す斜視図である。
【図２１】同実施形態の第２変更例に係る照明装置の構成を概略的に示す斜視図である。
【図２２】同実施形態の第３変更例に係る照明装置の構成を概略的に示す斜視図である。
【図２３】同実施形態の第４変更例に係る照明装置の構成を概略的に示す斜視図である。
【発明を実施するための形態】
【００３５】
以下、図面を参照しながら、本発明の好適な実施の形態について詳細に説明する。なお、本明細書及び図面においては、同一の符号が付された構成要素は、実質的に同一の構造または機能を有するものとする。
【００３６】
なお、本発明に係る照明装置については、以下の順序で説明する。
１  第１実施形態（ライン型照明装置）
１−１  照明装置の構成
１−２  照明装置の組立方法
１−３  変更例
１−４  照明装置の用途
２  第２実施形態（箱型照明装置）
２−１  照明装置の構成
２−２  照明装置の組立方法
２−３  変更例
２−４  照明装置の用途
【００３７】
［第１実施形態］
まず、本発明の第１実施形態に係る照明装置について詳細に説明する。本実施形態に係る照明装置は、スリット状の開口部が形成された筒状の筐体を有し、開口部から所定の幅を有する線状の光束が出射され、被照射物に対して線状の光を照射する、所謂ライン型照明装置である。なお、以下では、本実施形態に係る照明装置の構成、組立方法、動作・作用効果、変更例、用途の順に説明する。
【００３８】
（照明装置１の構成）
初めに、図１〜図５を参照しながら、本実施形態に係る照明装置１の構成について説明する。図１は、本実施形態に係る照明装置１の全体構成を示す斜視図である。図２は、本実施形態に係る照明装置１の全体構成を示す上面図（ａ）、正面図（ｂ）及び側面図（ｃ）である。図３は、本実施形態に係る照明装置１の組立方法を示す分解斜視図である。図４は、本実施形態に係る発光素子基板１４の構成を示す下面図（ａ）及び側面図（ｂ）である。図５は、図１の照明装置１をＡ−Ａ線で切断した断面図である。
【００３９】
≪全体構成≫
図１〜図５に示すように、本実施形態に係る照明装置１は、筐体１０と、発光素子２０と、拡散反射部３０と、光出射部４０とを主に備える。筐体１０は、中空形状を有し、その内部に、発光素子２０、拡散反射部３０等が設置される筐体としての機能を有する。発光素子２０は、筐体１０の内部に１個又は複数個配置され、照明装置１の光源としての機能を有する。拡散反射部３０は、筐体１０の内部に設けられ、発光素子２０から出射された光を拡散反射させる機能を有する。光出射部４０は、筐体１０の開口部として設けられ、発光素子２０から出射され拡散反射部３０で拡散反射された光を、光束として筐体１０の外部へ出射する機能を有する。
【００４０】
上記各部材を有する照明装置１においては、詳細は後述するが、発光素子２０の配置を工夫し、この発光素子２０から出射された光を直接外部に放射するのではなく、一旦、筐体１０内部に設けられた拡散反射部３０により多重拡散反射させ、多量の光を均一な分布で筐体１０内部に封じ込め、これを光出射部４０のみから外部に出射することで、光量の均一性と高密度性を同時に実現している。以下、照明装置１の各構成要素について詳細に説明する。
【００４１】
≪筐体１０≫
図１〜図３及び図５に示すように、本実施形態に係る筐体１０は、本体部１１と、本体支持部１２と、マスク部材１３と、発光素子基板１４と、基板支持部１５とを主に有する。本実施形態では、本体部１１が筒状（図示されている例では、円筒状）となっており、これにより、筐体１０全体として略筒状の形状を有している。また、本実施形態では、本体部１１の内部に発光素子２０から出射され拡散反射部３０で拡散反射された光が封じ込められることとなる。なお、図１〜図５では、筐体１０が、本体部１１、本体支持部１２、マスク部材１３、発光素子基板１４及び基板支持部１５を有する例を示しているが、本体部１１内に発光素子２０及び拡散反射部３０を設けることができ、本体部１１内から光を出射可能な光出射部を設けることができれば、本体支持部１２、マスク部材１３、発光素子基板１４及び基板支持部１５に関しては必ずしも設けなくてもよい。
【００４２】
＜本体部１１＞
本体部１１は、筒状の形状を有し、その長手方向に沿って形成されたスリット状（溝状）の開口部１１ａを有している。本体部１１の長さ及び断面積に関しては特に限定されず、照明装置１の用途に応じて適宜定めればよい。本体部１１の両端は、図面に示されているように開口されていてもよく、閉塞されていてもよい。ただし、本体部１１の両端が開口されている場合には、本体部１１の内部に封じ込められた光が漏れないように、後述する本体支持部１２等により、本体部１１の両端を閉塞する必要がある。
【００４３】
また、図面では、本体部１１が円筒状の形状を有する例を挙げているが、本体部１１の断面形状は略円形状に限られるわけではなく、略楕円形状、略多角形状、放物面状、双曲面状、非球面状、自由曲面形状等の、任意の凹面形状とすることができる。ただし、後述するように、光出射部４０から出射される光束の分布の均一性をより高めるためには、本体部１１の断面形状、すなわち、中空の筐体１０の内部の空洞部分の断面形状が、重心に対して点対称の形状を有することが好ましい。これは、発光素子２０及び光出射部４０の配置にもよるが、対称形の断面形状を有することにより、本体部１１内に封じ込められる光のムラを少なくすることができるため、光出射部４０から出射される光束の分布の均一性をより高めることができるものと考えられる。また、光出射部４０から出射される光束の分布の均一性を高めるという観点からは、本体部１１の内部の断面形状が、長手方向で均一となっていることが好ましい。
【００４４】
本体部１１の開口部１１ａの幅や長さについては特に限定されず、照明装置１の用途に応じて適宜定めればよい。ただし、開口部１１ａの幅はマスク部材１３の開口部１３ａよりも大きいことが好ましい。また、開口部１１ａは、本体部１１の上部、より詳細には、マスク部材１３や発光素子基板１４が設置される側であって、開口部１１ａと後述するマスク部材１３の開口部１３ａとが連通するような位置に設けられる。
【００４５】
＜本体支持部１２＞
本体支持部１２は、本体部１１の両端の開口を閉塞させるとともに、本体部１１を両端から支持する。本体支持部１２の形状は、上記機能を有していれば特に限定されず、例えば、図示されている例のように略直方体状でもよく、略円柱（円盤）状等であってもよい。なお、図示されている例では、本体支持部１２は、マスク部材１３を下方（マスク部材１３の底面側）から支持する役割も有している。
【００４６】
また、本体支持部１２には、ネジ１９によりマスク部材１３とネジ止めするための複数のネジ孔１２ａと、本体支持部１２から本体部１１が脱落することを防止するためのビス１８を挿入する複数のビス孔１２ｂとが設けられている。なお、ネジ孔１２ａ及びビス孔１２ｂの数は特に限定されず、上記ネジ止め及び本体部１１の脱落防止が可能な数であればよい。
【００４７】
＜マスク部材１３＞
マスク部材１３は、筐体１０の天板として設置される板状部材であり、その略中央部に形成されたスリット状の開口部１３ａを有している。本体部１１中に封じ込められた光は、開口部１１ａを通過した後に、後述するように、２個の基板支持部１５の間及び２枚の発光素子基板１４の間を通った後に、マスク部材１３の開口部１３ａを通して、筐体１０の外部へ光束として出射される。
【００４８】
また、マスク部材１３には、ネジ１９により発光素子基板１４及び基板支持部１５とネジ止めするためのネジ孔１３ｂが複数設けられている。なお、ネジ孔１３ｂの数は特に限定されず、上記ネジ止めが可能な数であればよい。
【００４９】
＜発光素子基板１４＞
発光素子基板１４は、図４に示すように、その一方の面に発光素子２０が設置される基板であり、本実施形態では、マスク部材１３と基板支持部１５とにより挟持され、ネジ１９によりネジ止めされることでその位置が固定されている。この発光素子基板１４は、発光素子２０から出射された光が本体部１１の開口部１１ａを通して本体部１１内に導入されるように、発光素子２０が設置された側の面と基板支持部１５が位置する側とが一致するように設置される。
【００５０】
図４では、発光素子２０が、発光素子基板１４の幅方向（長手方向の直交する方向）の一端側の縁部に１列に並設されている例が示されているが、このような例には限定されない。なお、発光素子２０の配置の詳細については後述する。
【００５１】
また、照明装置１には、４枚の発光素子基板１４Ａ、１４Ｂ、１４Ｃ、１４Ｄが設置されているが、発光素子基板１４の数は特に限定されず、例えば、発光素子基板１４Ａと１４Ｂ、発光素子基板１４Ｃと１４Ｄとが、それぞれ一体的に形成され、２枚の発光素子基板１４からなっていてもよく、或いは、１枚の発光素子基板１４の略中央部のマスク部材１３の開口部１３ａと対応する位置に、開口部１３ａと略同一形状のスリット状の開口部（図示せず。）が形成されていてもよい。
【００５２】
また、発光素子基板１４には、ネジ１９によりマスク部材１３及び基板支持部１５とネジ止めするためのネジ孔１４ａが複数設けられている。なお、ネジ孔１４ａの数は特に限定されず、上記ネジ止めが可能な数であればよい。
【００５３】
＜基板支持部１５＞
基板支持部１５は、発光素子基板１４を底面側から支持するように、発光素子基板１４が載置される部材である。その形状は特に限定されるものではないが、図示した例では、基板支持部１５は、断面が略Ｌ字状で、長さが本体部１１と略同一の柱状の形状を有しており、２個の基板支持部材１５が本体部１１の上部を挟むように配置されている。ここで、基板支持部１５は、本体部１１の開口部１１ａを塞がないような形状である必要があるが、必ずしも２個設けられる必要はなく、１個の略コの字状の基板支持部１５の略中央部の開口部１１ａと対応する位置に開口部（図示せず。）が形成されていてもよい。
【００５４】
また、基板支持部１５には、ネジ１９によりマスク部材１３及び発光素子基板１４とネジ止めするためのネジ孔１５ａが複数設けられている。なお、ネジ孔１５ａの数は特に限定されず、上記ネジ止めが可能な数であればよい。さらに、基板支持部１５は、長手方向の両端から本体支持部１２により挟持された状態で固定される。
【００５５】
≪発光素子２０≫
＜発光素子２０の配置＞
発光素子２０は、照明装置１の光源としての機能を有するものであって、上述したように、その配置に特徴がある。すなわち、本実施形態に係る照明装置１では、発光素子２０を、光出射部４０（本実施形態では開口部１３ａ）を通して、筐体１０の外部から筐体１０の内部を見た場合の視野の範囲外、すなわち、図５における両矢印Ａで示した範囲内に配置している。このような位置に発光素子２０を配置することにより、中空の筐体１０の内部に設置した発光素子２０から出射された光を筐体１０の内部で多重拡散反射させながら、筐体１０の内部に光を封じ込めることができる。これにより、光量分布の均一性を達成させるとともに、筐体１０の一部に内部に封じ込められた光が出射できる開口部１３ａを設け、当該開口部１３ａのみから光を出射できるようにすることにより、光束の均一性と高密度性を同時に実現することができる。一方、発光素子２０を視野の範囲内、すなわち、図５における両矢印Ｂで示した範囲内に配置してしまうと、筐体１０の本体部１１内の光の分布が不均一になってしまう。
【００５６】
また、本実施形態では、複数の発光素子２０が、筐体１０（発光素子基板１４）の長手方向に所定の間隔をおいて配置されている。具体的には、例えば、図４（ａ）に示すように、光出射部４０を挟むように二列の直線状に複数の発光素子２０を配置することが好ましく、さらに、図４（ｃ）に示すように、筐体１０（発光素子基板１４）の長手方向に沿って千鳥配置となるように複数の発光素子２０を配置することがより好ましい。発光素子２０を上記のように配置することにより、筐体１０の本体部１１内の空洞部分における光の分布の均一性を向上させることができる。ただし、複数の発光素子２０が千鳥配置となっていない場合、或いは複数の発光素子２０が光出射部４０の一側に一列のみ配列されている場合であっても、光束の均一化及び高密度化を実現することは可能である。
【００５７】
＜発光素子２０の例＞
また、本実施形態における発光素子２０として使用可能な素子は、特に限定されないが、例えば、発光ダイオード（ＬＥＤ：Ｌｉｇｈｔ  Ｅｍｉｔｔｉｎｇ  Ｄｉｏｄｅ）、レーザ等の発光素子を使用することができる。
【００５８】
＜複数種類の波長の光の混合＞
また、発光素子２０として、赤外光から紫外光までの複数種類の波長の光を出射する発光素子をそれぞれ単独又は複数配置し、それぞれの発光素子２０から出射された光を拡散反射部３０で拡散反射させることにより、複数種類の波長の光を混合させた混合光とし、この混合光を光出射部４０から出射させるようにしてもよい。このような形態の適用例としては、赤（Ｒ）、緑（Ｇ）、青（Ｂ）の波長の光を発するＬＥＤをそれぞれ単独又は複数個配置する場合が挙げられる。この場合、Ｒ、Ｇ、Ｂの各ＬＥＤから出射された光を筐体１０の本体部１１内部で拡散反射部３０により多重拡散反射させることで、Ｒ、Ｇ、Ｂの波長の光が混合した白色光とすることができ、この白色光を光出射部４０から取り出すことができる。したがって、白色の照明が必要となる用途においては、上記のような形態とすればよい。
【００５９】
＜発光制御＞
本実施形態に係る照明装置１０は、発光素子２０の発光のＯＮ／ＯＦＦを制御する発光制御装置（図示せず。）をさらに備えていてもよい。この発光制御装置による発光制御の具体例としては、例えば、発光素子２０が複数配置されている場合に、発光制御装置が、各発光素子２０の発光時間をそれぞれ独立的に制御し、個々の発光素子２０を連続的に発光させたり、或いは時間制御で発光させたりするようにしてもよい。また、例えば、発光素子２０として、赤外光から紫外光までの複数種類の波長の光を出射する発光素子がそれぞれ単独又は複数配置されている場合に、発光制御装置が、照明装置１が設置される撮像装置（図示せず。）の露光時間に同期させて各波長を有する発光素子２０の発光のＯＮ／ＯＦＦを制御し、撮像装置が各波長の光ごとに撮像を行うことができるようにしてもよい。
【００６０】
≪拡散反射部３０≫
拡散反射部３０は、発光素子２０から出射された光を拡散反射させる機能を有しており、本実施形態では、拡散反射部３０は、筐体１０の本体部１１の内面の少なくとも一部に設けられる反射面である。具体的には、拡散反射部３０は、図５に示すように、本体部１１の内壁面に沿って、発光素子２０から出射された光を高効率で拡散反射させるように加工された表面、又は、高効率で拡散反射させるような物性を有する塗装膜等として設けられている。
【００６１】
ここで、本体部１１の内壁面を加工する方法としては、例えば、本体部１１の材質として所定の樹脂を用い、この樹脂を超微細発泡させることで、超微細発泡光反射板を作製し、この超微細発泡光反射板を筒状に加工する方法等がある。また、本体部１１の内壁面に塗装膜を形成する方法としては、例えば、本体部１１の内壁面に発光素子２０から出射された波長の光を効率良く反射できるような材料を塗布する方法が挙げられる。塗布材料としては、例えば、銀、金、ステンレス、アルミニウム等の金属、酸化チタン（ＴｉＯ２）等の金属酸化物、窒化マグネシウム（Ｍｇ３Ｎ２）等の金属窒化物、チタンホワイト微粒子をエマルジョン化したもの、ポリテトラフルオロエチレンの微粒子、その他のコーティング剤等が挙げられる。ただし、上記以外のものでも、発光素子２０から出射された光を高効率で拡散反射させることが可能なものであれば、いかなる加工方法や塗装膜を用いて拡散反射部３０を設けても差し支えない。また、上記塗布材料の塗装方法としては特に限定されず、バーコータ、ロールコータ、刷毛塗り、浸漬法等の公知の方法を用いることができる。
【００６２】
また、発光素子２０として、紫外光を発するＬＥＤ等の素子を使用し、本体部１１の内壁面に塗布する材料として、紫外線を吸収して蛍光として可視光線を発する物質を用いることで、照明装置１の光出射部４０から可視光線を蛍光として出射させることも可能である。このような構成とすることで、照明装置１を蛍光灯の代替として用いることができる。
【００６３】
≪光出射部４０≫
光出射部４０は、筐体１０の開口部として設けられ、発光素子２０から出射され拡散反射部３０で拡散反射された光を、光束として筐体１０の外部へ出射するものである。本実施形態では、光出射部４０は、筐体１０の長手方向に沿って形成されたスリット状の開口部である。より詳細には、本実施形態に係る光出射部４０は、本体部１１の開口部１１ａ、２個の基板支持部１５の間の隙間、幅方向に並んだ２枚の発光素子基板１４の間の隙間、及びマスク部材１３の開口部１３ａが連通する部分である。発光素子２０から出射され拡散反射部３０で多重拡散反射した光は、本体部１１内で光量分布が均一化された状態で封じ込められ、この均一化した光が、光出射部４０を、開口部１１ａ、２個の基板支持部１５の間の隙間、２枚の発光素子基板１４の間の隙間の順で通過し、開口部１３ａから筐体１０の外部へ均一且つ高密度の光束として出射される。
【００６４】
＜光出射部４０の幅＞
光出射部４０の幅（本実施形態では、特に、スリット状の開口部１３ａの幅）については、光出射部４０の幅を狭くすることにより（例えば、５ｍｍ程度）、発光素子２０から出射された光又は拡散反射部３０により拡散反射された光が外部に出射されにくくなるため、多重拡散反射の回数が増加する。そのため、筐体１０の本体部１１内部に封じ込める光の分布をより均一化させることができるとともに、光が外部に出射される出口が狭くなるので、出射される光束の密度を高めることもできる。その結果、照明装置１は、光束の均一性と高密度性の両特性を兼ね備えることができる。
【００６５】
ただし、光出射部４０の幅を狭くし過ぎると、光が筐体１０の外部へ放出されないため、発光素子２０から出射された光が筐体１０内部で何度も拡散反射（乱反射）をし続けることになり、その結果、光が減衰してしまうという現象が発生するおそれがある。
【００６６】
以上のような観点から、光出射部４０の幅（本実施形態では、特に、マスク部材１３の開口部１３ａの幅）は、筐体１０の本体部１１の内部の最大径に対して０．１％以上３０％以下の長さとすることが好ましい。
【００６７】
また、光出射部４０から出射される光束の分布の均一性を高めるという観点からは、光出射部４０（本実施形態では、特に、マスク部材１３の開口部１３ａの幅）が、その長手方向で均一な幅を有していることが好ましい。
【００６８】
（照明装置１の組立方法）
以上、本実施形態に係る照明装置１の構成について詳細に説明したが、続いて、再び図３を参照しながら、以上のような構成を有する照明装置１の組立方法について説明する。
【００６９】
まず、上述した構成を有する本体部１１、本体支持部１２、マスク部材１３、発光素子基板１４及び基板支持部１５を、金属や樹脂等を加工することで作製する。ここで、本体部１１の内壁面に拡散反射部３０を形成するための加工や塗装等の方法については、上述した通りである。また、発光素子基板１４に発光素子２０を設置するには、公知の方法を用いればよく、発光素子２０の配置については上述した通りである。
【００７０】
次に、基板支持部１５の上に発光素子基板１４、マスク部材１３を順に重ね、これらをネジ１９を用いてネジ止めして固定する。このとき、２個の基板支持部１５により本体部１１の開口部１１ａを閉塞しない程度に２個の基板支持部１５を離隔させる。また、４枚の発光素子基板１４のうち、幅方向で隣り合う２枚の発光素子基板１４については、マスク部材１３の開口部１３ａを閉塞しない位置で固定する。さらに、２個の本体支持部１２を用いて、筒状の本体部１１及び２個の基板支持部１５をこれらの長手方向の両端から挟持するようにした状態で、本体部１１と本体支持部１２とをビス１８を用いてビス止めして固定する。
【００７１】
以上のようにして、本実施形態に係る照明装置１を組み立てることができる。
【００７２】
（照明装置１の変更例）
ここで、本実施形態に係る照明装置１のいくつかの変更例について説明する。なお、以下の変更例を説明するための図面においては、その特徴部分が明確になるように、各構成部材を簡素化して記載している。また、後述する各種変更例を複数組み合わせたものも、本実施形態に係る照明装置１の変更例となり得る。
【００７３】
≪第１変更例≫
まず、図６及び図７を参照しながら、照明装置１とは筐体１０内部の形状が異なる第１変更例に係る照明装置１−１について説明する。図６は、本実施形態に係る照明装置１の構成を概略的に示す断面図である。図７は、本実施形態の第１変更例に係る照明装置１−１の構成を概略的に示す断面図である。
【００７４】
図６に示すように、本実施形態に係る照明装置１が、筐体１０と、発光素子２０と、拡散反射部材３０と、光出射部４０とを備えることは、上述した通りである。なお、図６に示した例では、光出射部４０の開口部を覆うようにカバーガラス４１が設けられている。このカバーガラス４１は、光を透過し、且つ、筐体１０内部に塵や埃等が混入することを防止するためのものであるが、清浄な環境下で照明装置１を使用する場合等、塵や埃等の混入を考慮しなくてもよい用途で照明装置１を使用する場合には、カバーガラス４１は必ずしも設けられていなくてもよい。
【００７５】
また、図７に示すように、第１変更例に係る照明装置１−１は、照明装置１とは、筐体１０内部の形状が異なる変更例である。具体的には、図６に示した照明装置１では、筐体１０内部の断面形状が略円形となっているが、図７に示した照明装置１−１では、筐体１０内部の断面形状が略矩形となっている。いずれの場合も、発光素子２０、拡散反射部３０及び光出射部４０を上述したような構成とすることにより、光束の均一化と高密度化を同時に実現することは可能である。筐体１０内部の断面形状としては、ここで挙げた形状以外にも様々なものが考えられるが、その具体例は上述した通りである。
【００７６】
≪第２変更例≫
次に、図８を参照しながら、第２変更例に係る照明装置１−２について説明する。図８は、本実施形態の第２変更例に係る照明装置１−２の構成を概略的に示す断面図である。
【００７７】
図８に示すように、第２変更例に係る照明装置１−２は、筐体１０と、発光素子２０と、拡散反射部材３０と、光出射部４０と、カバーガラス４１とを備えることは、照明装置１と同様であるが、スリット状の光出射部４０の幅を調整可能な遮光部材４２をさらに備えることが、照明装置１とは異なる。この遮光部材４２の形状や材質は、光を遮蔽するものであれば特に限定されるものではないが、遮光部材４２は、その筐体１０の内側に対応する面に、拡散反射部３０、すなわち、発光素子２０から出射された光を拡散反射させるための反射面を有している。これにより、発光素子２０から出射された光の多重拡散反射の回数を増加させることができる。
【００７８】
また、遮光部材４２は、筐体１０の長手方向に対して直交する方向（図８に示す例では、両矢印で示した水平方向）へ往復移動が可能なように設けられている。遮光部材４２がこのように移動可能に設けられていることにより、照明装置１−２では、光出射部４０の幅を所望の幅に自在に調整することが可能となる。その結果、照明装置１−２では、その用途に応じて、光出射部４０から出射される光束の密度を所望の密度となるように調整することができる。
【００７９】
≪第３変更例≫
次に、図９を参照しながら、第３変更例に係る照明装置１−３について説明する。図９は、本実施形態の第３変更例に係る照明装置１−３の構成を概略的に示す断面図である。
【００８０】
図９に示すように、第３変更例に係る照明装置１−３は、筐体１０と、発光素子２０と、拡散反射部材３０と、光出射部４０とを備えることは、照明装置１と同様であるが、スリット状の光出射部４０（開口部）に、均一な厚みを有する透明な導光板４３が配置されていることが、照明装置１とは異なる。この導光板４３は、例えば、アクリル板等の透明な部材の表面に所定の加工を施して、端面から入射した光を均一に面発光させることができるようにしたものである。このような導光板４３を通して光を外部に出射することにより、光出射部４０の幅が狭く、当該光出射部４０から出射された光束の幅が広がって光の分布の均一性が低下し易いような場合であっても、光出射部４０から出射される光束の密度の均一性を維持することができる。
【００８１】
≪第４変更例≫
次に、図１０を参照しながら、第４変更例に係る照明装置１−４について説明する。図１０は、本実施形態の第４変更例に係る照明装置１−４の構成を概略的に示す断面図であり、（ａ）は筐体１０の長手方向に垂直な断面であり、（ｂ）は筐体１０の長手方向に平行な断面である。
【００８２】
図１０に示すように、第４変更例に係る照明装置１−４は、筐体１０と、発光素子２０と、拡散反射部材３０と、光出射部４０とを備えることは、照明装置１と同様であるが、スリット状の光出射部４０（開口部）に、第３変更例における導光板４３が、光ファイバ又は屈折率分布型レンズ（「ＧＲＩＮレンズ」とも呼ばれる。）の配列であることが照明装置１とは異なる。ここで、光ファイバ又は屈折率分布型レンズを、光出射部４０からの光の出射方向に対して所定の角度（例えば、３〜４０度）をつけて配列させることで、照明装置１−４の光出射部４０から出射される光を、被照射物に対して傾斜する方向から照射することが可能となる。
【００８３】
図１０には、上記配列の例として、筐体１０の長手方向に沿って１列に配列した光ファイバがバンドルされた板（以下、「バンドル板」と称する。）４４が示されている（図１０（ｂ）を参照）。図１０の例では、光ファイバが、その配列方向（すなわち筐体１０の長手方向）に対して傾斜した状態で配列されている。また、図示していないが、バンドル板４４は、光を透過しない遮蔽板によって挟持されている。
【００８４】
以上のように、光ファイバが配列されていることにより、光出射部４０から出射される光の出射方向を垂直方向に対して所定の角度傾斜させた光束を被照射物に対して照射することができる。このような照明装置１−４は、例えば、シート状の被照射物に存在する傷や欠陥部分等を検出する際に有用である。当該検出の際には、被照射物における傷や欠陥部分等に、光出射部４０から出射された光が当たった場合の散乱光として、当該傷や欠陥部分等が検出される。しかし、光出射部４０から真っ直ぐに光が照射される場合、光出射部４０から出射された光によるグレア現象が発生し、これにより傷や欠陥部分等からの散乱光の検出精度が低下してしまう場合がある。これに対して、照明装置１−４を用いて、垂直方向に対して所定の角度傾斜させた光束を被照射物に対して照射することで、光出射部４０から直接照射される部分とは異なる場所に、傷や欠陥部分等からの散乱光を発生させることができるため、グレア現象による散乱光の検出精度の低下を防止することができる。
【００８５】
なお、屈折率分布レンズを用いた例については特に図示してはいないが、屈折率分布レンズを用いた場合でも光ファイバを用いた場合と同様の効果を得ることができる。すなわち、屈折率分布レンズとは、レンズ内部の屈折率が不均一になっているレンズのことであるが、レンズ内部の屈折率を変化させることで、光ファイバを傾斜して配列させた場合と同様の効果を得ることができる。
【００８６】
≪第５変更例≫
次に、図１１及び図１２を参照しながら、第５変更例に係る照明装置１−５、１−５’について説明する。図１１及び図１２は、それぞれ、本実施形態の第５変更例に係る照明装置１−５、１−５’の構成を概略的に示す断面図である。なお、以下の説明では、図１１に示した照明装置１−５を例に挙げて説明するが、照明装置１−５と照明装置１−５’とは、筐体１０内部の断面形状が異なる（照明装置１−５が略矩形状、照明装置１−５’が略円形状）だけであり、当該断面形状以外の点については、照明装置１−５’は照明装置１−５の構成や作用効果等と同様である。
【００８７】
図１１に示すように、第５変更例に係る照明装置１−５は、筐体１０と、発光素子２０と、拡散反射部材３０と、光出射部４０とを備えることは、照明装置１と同様であるが、スリット状の光出射部４０（開口部）の幅を０．１〜３．０ｍｍの範囲と狭くし、且つ、光出射部４０から出射された光の進行方向に光出射部４０から所定距離離隔した位置に、光出射部４０の長手方向と平行に設置された集光レンズ（図１１の例では、ロッドレンズ）４５をさらに備えている点で、照明装置１とは異なる。この集光レンズ４５は、光出射部４０から出射した光束を、光出射部４０の長手方向に対して直交する方向の長さが短くなるように集光させる。言い換えると、光出射部４０から出射した後に、図１１の矢印で示したように、光出射部４０の幅方向に広がろうとする光束を、集光レンズ４５を通過させることで、光出射部４０の幅方向に対して集光させ、光束の幅を短くすることができる。
【００８８】
≪第６変更例≫
次に、図１３を参照しながら、第６変更例に係る照明装置１−６について説明する。図１３は、本実施形態の第６変更例に係る照明装置１−６の構成を概略的に示す断面図である。
【００８９】
図１３に示すように、第６変更例に係る照明装置１−６は、筐体１０と、発光素子２０と、拡散反射部材３０と、光出射部４０と、カバーガラス４１とを備えることは、照明装置１と同様であるが、筐体１０の外周面にヒートシンク（図１３の例では、放熱用のフィン）５０が設けられる点で、照明装置１と異なる。ヒートシンク５０の種類としては、図１３に示されている放熱用のフィンに限られず、発光素子２０から発生した熱が筐体１０を伝導して外部に放出することが可能な機能を有していれば、公知の任意のヒートシンクを用いることができる。また、ヒートシンク５０の設置位置についても特に限定はされず、例えば、図１３に示したように、筐体１０の底面に長手方向に延設してもよいし、筐体１０の側面の一部に設けてもよい。
【００９０】
≪第７変更例≫
次に、図１４及び図１５を参照しながら、第７変更例に係る照明装置１−７、１−７’について説明する。図１４及び図１５は、それぞれ、本実施形態の第７変更例に係る照明装置１−７、１−７’の構成を概略的に示す断面図である。なお、以下の説明では、図１４に示した照明装置１−７を例に挙げて説明するが、照明装置１−７と照明装置１−７’とは、光出射部４０の幅が照明装置１−７’の方が狭く、照明装置１−７’では、カバーガラス４１が設けられておらず、集光レンズ４５が設けられている点が異なるだけであり、当該構成以外の点については、照明装置１−７’は照明装置１−７の構成や作用効果等と同様である。また、集光レンズ４５の構成、機能、作用効果等については、上記第５変更例において詳細に説明しているので、ここではその説明を省略する。
【００９１】
図１４に示すように、第７変更例に係る照明装置１−７は、照明装置１において、筐体１０内部の中空部（空洞部）と同一の機能を有する部材として、透明体６０を備えるものである。より詳細には、照明装置１−７は、棒状の透明体６０と、１又は複数の発光素子２０と、透明体６０の外周面に設けられる拡散反射部３０と、透明体６０のうち拡散反射部３０が設けられていない領域として設けられる光出射部４０とを備える。
【００９２】
透明体６０は、アクリル樹脂等の透明な樹脂又はガラス等で形成された棒状の部材である。透明体６０は、発光素子２０から出射された光を透過する材質であれば特に限定はされない。また、透明体６０の形状は、筐体１０の内部形状として説明したものと同様である。なお、図１４及び図１５では、透明体６０として、断面が略円形状の棒状（略円柱状）の透明部材が例示されている。
【００９３】
発光素子２０を設ける位置としては、透明体６０の内部側に導光できる位置であれば特に限定されるものではない。ただし、発光素子２０は、光出射部４０を通して透明体６０の外部から透明体６０の内部を見た場合の視野の範囲外に、発光素子２０を配置する必要がある。このような位置に発光素子２０を配置することにより、棒状の透明体６０の内部に設置した発光素子２０から出射された光を透明体６０の内部で多重拡散反射させながら、透明体６０の内部に光を封じ込めることができる。これにより、光量分布の均一性を達成させるとともに、透明体６０の一部に内部に封じ込められた光が出射できる光出射部４０を設け、当該光出射部４０のみから光を出射できるようにすることにより、光束の均一性と高密度性を同時に実現することができる。
【００９４】
照明装置１−７の拡散反射部３０は、透明体６０の外周面の発光素子２０が設置されていない部分に設けられており、発光素子２０から出射された光を高効率で拡散反射させる。照明装置１−７の拡散反射部３０は、照明装置１の拡散反射部３０と設けられる場所が異なるだけで、その他の構成については同様である。
【００９５】
照明装置１−７の光出射部４０は、照明装置１の場合と異なり、透明体６０に形成された開口部ではなく、上記拡散反射部３０が設けられていない領域となる。すなわち、透明体６０の一部に拡散反射部３０が設けられていない領域を形成することで、発光素子２０から出射され拡散反射部３０で拡散反射された光を光束として透明体６０の外部へ出射することができる。照明装置１−７の光出射部４０、すなわち、透明体６０のうち拡散反射部３０を設けない領域の形状については、照明装置１の筐体１０に形成されるスリット状の開口部の形状と略同一である。
【００９６】
なお、図１４及び図１５に示した例では、透明体６０の外周を覆うように筐体１０が設けられているが、これは他の部材との関係で必要に応じて設ければよく、本変更例に係る照明装置１−７、１−７’においては必ずしも筐体１０を設ける必要はない。
【００９７】
（照明装置１の用途）
以上説明したような本実施形態に係る照明装置１及びこの各種変更例の用途としては、例えば、アパーチャー蛍光管の代替、ロッド型照明の代替、ライン型ＬＥＤ照明の代替、ハロゲン・メタルハライド光源と導光用光ファイバを組み合わせた照明装置の代替、医療用等で複数の波長を混合することが必要な用途、導光用のレンズやファイバを使用する必要のある用途、幅の狭いライン型照明を必要とする用途等が挙げられる。
【００９８】
照明装置１を以上のような用途に使用すると、例えば、以下のような効果を得ることができる。
（１）アパーチャー蛍光管の代替
従来のものよりも光束密度を向上させることができる。
（２）ロッド型照明の代替
従来のものよりも光束密度を向上させることができると共に、（光出射部４０の長手方向の）全範囲に渡って光束密度を均一にすることができる。
（３）ライン型ＬＥＤ照明の代替
従来のものよりも光束密度を向上させることができると共に、（光出射部４０の長手方向の）全範囲に渡って幅方向の光束密度を均一にすることができる。
（４）ハロゲン・メタルハライド光源と導光用光ファイバを組み合わせた照明装置の代替
従来のものよりも光束密度を向上させることができると共に、強制空冷が不要となり、よりワーク（被照射物）に照明装置を近づけることができる。
（５）医療用等で複数の波長を混合することが必要な用途
複数の波長を混合することで、様々な色の光を被照射物に照射することができる。
（６）導光用のレンズやファイバを使用する必要のある用途
導光用のレンズやファイバを使用せずに、スリット状の開口部の長さを長く延ばしておけば、ムラの無い光をワーク（被照射物）に照射することができる。
（７）幅の狭いライン型照明を必要とする用途
例えば、Ｘ線レベルの波長を有する光を筐体１０内面で拡散反射できるようにすれば、スリット状の開口部の幅と同程度まで集光させた光をワーク（被照射物）に照射することができる。
【００９９】
［第２実施形態］
次に、本発明の第２実施形態に係る照明装置について詳細に説明する。本実施形態に係る照明装置は、貫通孔が形成された略球状、略扁球状又は略多面体状等の形状を有し、貫通孔から線状の光束が出射され、被照射物に対して略点状の光を照射する、所謂箱型（例えば、積分球型）照明装置である。なお、以下では、本実施形態に係る照明装置の構成、作成方法、動作（作用効果）、変更例、用途の順に説明する。なお、第１実施形態と同様の構成等についての詳細な説明は重複を避けるため省略する。
【０１００】
（照明装置２の構成）
初めに、図１６〜図１８を参照しながら、本実施形態に係る照明装置２の構成について説明する。図１６は、本実施形態に係る照明装置２の全体構成を示す斜視図である。図１７は、本実施形態に係る照明装置２の全体構成を示す上面図（ａ）、正面図（ｂ）及び底面図（ｃ）である。図１８は、図１６の照明装置２をＢ−Ｂ線で切断した断面図である。
【０１０１】
≪全体構成≫
図１６〜図１８に示すように、本実施形態に係る照明装置２は、筐体７０と、発光素子２０と、拡散反射部３０と、光出射部４０とを主に備える。筐体７０は、中空形状を有し、その内部に、発光素子２０、拡散反射部３０等が設置される筐体としての機能を有する。発光素子２０は、筐体７０の内部に１個又は複数個配置され、照明装置２の光源としての機能を有する。拡散反射部３０は、筐体７０の内部に設けられ、発光素子２０から出射された光を拡散反射させる機能を有する。光出射部４０は、筐体７０の開口部として設けられ、発光素子２０から出射され拡散反射部３０で拡散反射された光を、光束として筐体７０の外部へ出射する機能を有する。
【０１０２】
上記各部材を有する照明装置２においては、詳細は後述するが、発光素子２０の配置を工夫し、この発光素子２０から出射された光を直接外部に放射するのではなく、一旦、筐体７０内部に設けられた拡散反射部３０により多重拡散反射させ、多量の光を均一な分布で筐体７０内部に封じ込め、これを光出射部４０のみから外部に出射することで、光量の均一性と高密度性を同時に実現している。以下、照明装置２の各構成要素について詳細に説明する。
【０１０３】
≪筐体７０≫
図１６〜図１８に示すように、本実施形態に係る筐体７０は、本体部７１と、本体カバー部７２と、基板７３とを主に有する。本実施形態では、略多角形の板状の外形を有する基板７３と、略多面体状（図示されている例では略直方体状）の外形を有する本体部７１と、略多面体状（図示されている例では略直方体状）の外形を有する本体カバー部７２とがこの順で重なることにより、筐体７０全体として、略多面体状（図示されている例では略直方体状）の外形を有している。また、本実施形態では、本体部７１と本体カバー部７２のそれぞれに略半球状の窪み７１ａ、７２ａが設けられており、これらが組み合わさることで、筐体７０全体として、その内部に略球状の空洞部７０ａが形成される。なお、筐体７０の外形及び内部の空洞部７０ａの形状は、上記の形状に限定されず、それぞれ、略球状、略扁球状、略多面体状等の任意の形状とすることができる。ただし、光出射部４０から出射される光束の分布の均一性をより高めるためには、中空の筐体７０の内部の空洞部７０ａの断面形状が、重心に対して点対称の形状を有することが好ましい。これは、発光素子２０及び光出射部４０の配置にもよるが、対称形の断面形状を有することにより、筐体７０内に封じ込められる光のムラを少なくすることができるため、光出射部４０から出射される光束の分布の均一性をより高めることができるものと考えられる。
【０１０４】
ここで、本実施形態では、筐体７０内部の空洞部７０ａに発光素子２０から出射され拡散反射部３０で拡散反射された光が封じ込められることとなる。なお、図１６〜図１８では、筐体７０が、本体部７１、本体カバー部７２及び基板７３を有する例を示しているが、空洞部７０ａ内に発光素子２０及び拡散反射部３０を設けることができ、空洞部７０ａから光を出射可能な光出射部４０を設けることができれば、筐体７０は、上記の例と異なる構造であっても差し支えない。
【０１０５】
＜本体部７１＞
本体部７１は、上述したように、略直方体状の外形を有し、その一方の側に略半球状の窪み７１ａが形成されている。また、本体部７１の周面の所定箇所（図示されている例では、一の面の略中央部）には、光出射部４０として機能する貫通孔７１ｂが形成されている。貫通孔７１ｂの形状は、図示されている例では略円形となっているが、このような形状には限定されず、略多角形状、略楕円形状等、均一且つ高密度な光束を出射することが可能な任意の形状とすることができる。本体部７１の大きさは特に限定されず、照明装置２の用途に応じて適宜定めればよい。なお、貫通孔７１ｂの径については、光出射部４０の説明の際に詳述する。
【０１０６】
＜本体カバー部７２＞
本体カバー部７２は、本体部７１を覆うように本体部７１と組み合わせられ、筐体７０の主要部分を構成する。この本体カバー部７２は、上述したように、略直方体状の外形を有し、その一方の側に略半球状の窪み７２ａが形成されている。また、本体カバー部７２は、基板７３とともに本体部７１を挟持する。
【０１０７】
＜基板７３＞
基板７３は、筐体７０の基底部となる部材であり、この基板上に本体部７１が載置され、本体カバー部７２とともに本体部７１を挟持する。また、基板７３の底部側（本体部７１とは反対側）には、ヒートシンク５０が設けられている。このヒートシンク５０は、上述した第１実施形態に係るヒートシンク５０と同様の機能を有しており、図示した例では放熱用のフィンの形態である。また、ヒートシンク５０は、第１実施形態の場合と同様、必ずしも設ける必要はなく、発光素子２０からの発熱の程度に応じて適宜設ければよい。
【０１０８】
≪発光素子２０≫
＜発光素子２０の配置＞
発光素子２０は、照明装置２の光源としての機能を有するものであって、上述したように、その配置に特徴がある。すなわち、本実施形態に係る照明装置２では、発光素子２０を、光出射部４０（本実施形態では貫通孔７０ｂ）を通して、筐体７０の外部から筐体７０の内部を見た場合の視野の範囲外に配置している。このような位置に発光素子２０を配置することにより、中空の筐体７０の内部に設置した発光素子２０から出射された光を筐体７０の内部で多重拡散反射させながら、筐体７０の内部に光を封じ込めることができる。これにより、光量分布の均一性を達成させるとともに、筐体７０の一部に内部に封じ込められた光が出射できる開口部７０ｂを設け、当該開口部７０ｂのみから光を出射できるようにすることにより、光束の均一性と高密度性を同時に実現することができる。一方、発光素子２０を視野の範囲内に配置してしまうと、筐体７０内の空洞部７０ａにおける光の分布が不均一になってしまう。
【０１０９】
また、本実施形態では、複数の発光素子２０が、筐体７０の天面側に所定の間隔をおいて配置されている。具体的には、図１６に示すように、筐体７０の貫通孔７０ｂ、すなわち光出射部４０を取り囲むように略矩形状に配置されている。本実施形態における発光素子２０の配置は、このような形態には限られず、例えば、貫通孔７０ｂを中心とする略円形状若しくは楕円形状、又は、貫通孔７０ｂを取り囲むような略多角形状に配置されていてもよい。ただし、筐体７０の空洞部７０ａ内における光の分布の均一性を向上させるという観点からは、複数の発光素子２０が、貫通孔７０ｂを中心として点対称となるように配置されていることが好ましい。
【０１１０】
＜その他＞
また、本実施形態における発光素子２０として使用可能な素子の種類、複数種類の波長の光の混合、複数の発光素子２０の発光制御の例等については、上述した第１の実施形態の場合と同様であるので、ここでは詳細な説明を省略する。
【０１１１】
≪拡散反射部３０≫
拡散反射部３０は、発光素子２０から出射された光を拡散反射させる機能を有しており、本実施形態では、拡散反射部３０は、筐体７０の内面の少なくとも一部に設けられる反射面である。具体的には、拡散反射部３０は、図１８に示すように、筐体７０の空洞部７０ａの内壁面に沿って、発光素子２０から出射された光を高効率で拡散反射させるように加工された表面、又は、高効率で拡散反射させるような物性を有する塗装膜等として設けられている。
【０１１２】
その他、拡散反射部３０を設ける具体的な方法（表面加工方法、塗装膜の材料の選択等）については、上述した第１の実施形態の場合と同様であるので、ここでは詳細な説明を省略する。
【０１１３】
≪光出射部４０≫
光出射部４０は、筐体７０の開口部として設けられ、発光素子２０から出射され拡散反射部３０で拡散反射された光を、光束として筐体７０の外部へ出射するものである。本実施形態では、光出射部４０は、筐体７０の周面に設けられた貫通孔である。より詳細には、本実施形態に係る光出射部４０は、筐体７０の天面の略中央部に設けられた貫通孔７０ｂである。発光素子２０から出射され拡散反射部３０で多重拡散反射した光は、筐体７０の空洞部７０ａ内で光量分布が均一化された状態で封じ込められ、この均一化した光が、光出射部４０（貫通孔７０ｂ）から筐体７０の外部へ均一且つ高密度の光束として出射される。
【０１１４】
＜光出射部４０の大きさ＞
光出射部４０の大きさ（本実施形態では、貫通孔７０ｂの径）については、光出射部４０の大きさ（貫通孔７０ｂの径）を小さくすることにより、発光素子２０から出射された光又は拡散反射部３０により拡散反射された光が外部に出射されにくくなるため、多重拡散反射の回数が増加する。そのため、筐体７０の空洞部７０ａに封じ込める光の分布をより均一化させることができるとともに、光が外部に出射される出口が狭くなるので、出射される光束の密度を高めることもできる。その結果、照明装置２は、光束の均一性と高密度性の両特性を兼ね備えることができる。
【０１１５】
ただし、光出射部４０の大きさを小さくし過ぎると、光が筐体７０の外部へ放出されないため、発光素子２０から出射された光が筐体７０内部で何度も拡散反射（乱反射）をし続けることになり、その結果、光が減衰してしまうという現象が発生するおそれがある。
【０１１６】
以上のような観点から、光出射部４０の大きさ（本実施形態では、貫通孔７０ｂの径）は、筐体７０の空洞部７０ａの最大径に対して０．１％以上３０％以下の長さとすることが好ましい。
【０１１７】
（照明装置２の組立方法）
以上、本実施形態に係る照明装置２の構成について詳細に説明したが、続いて、再び図１６〜１８を参照しながら、以上のような構成を有する照明装置２の組立方法について説明する。
【０１１８】
まず、上述した構成を有する本体部７１、本体カバー部７２及び基板７３を、金属や樹脂等を加工することで作製する。ここで、筐体７０の空洞部７０ａ、すなわち、本体部７１の窪み７１ａ及び本体カバー部７２の窪み７２ａの内壁面に拡散反射部３０を形成するための加工や塗装等の方法については、上述した通りである。また、空洞部７０ａに発光素子２０を設置するには、公知の方法を用いればよく、発光素子２０の配置については上述した通りである。
【０１１９】
次に、基板７３の上に、本体部７１、本体カバー部７２を順に重ね、これらをネジ止め等により固定する。このとき、本体部７１の窪み７１ａの位置と本体カバー部７２の窪み７２ａの位置とが合うように位置合わせをする。また、ヒートシンク５０を設ける場合には、基板７３の底面側に予めネジ止め等によりヒートシンク５０を固定しておき、この状態で基板７３と本体部７１とをネジ止め等により固定すればよい。
【０１２０】
以上のようにして、本実施形態に係る照明装置２を組み立てることができる。
【０１２１】
（照明装置２の変更例）
ここで、本実施形態に係る照明装置２のいくつかの変更例について説明する。なお、以下の変更例を説明するための図面においては、その特徴部分が明確になるように、各構成部材を簡素化して記載している。また、後述する各種変更例を複数組み合わせたものも、本実施形態に係る照明装置２の変更例となり得る。その他、第１の実施形態で説明した変更例のうち本実施形態に技術的に適用可能なものについても、本実施形態に係る照明装置２の変更例とすることができる。
【０１２２】
≪変更例１≫
まず、図１９及び図２０を参照しながら、本実施形態の第１変更例に係る照明装置２−１について説明する。図１９は、本実施形態に係る照明装置２の構成を概略的に示す斜視図である。図２０は、本実施形態の第１変更例に係る照明装置２−１の構成を概略的に示す斜視図である。なお、これらの図面は、発光素子２０の配置をわかりやすくするために、筐体７０の内部に配置された発光素子２０を透視した状態で記載されている（以下の図２１〜図２３においても同様である）。
【０１２３】
図１９に示すように、本実施形態に係る照明装置２が、筐体７０と、発光素子２０と、拡散反射部材３０（ここでは図示せず。）と、光出射部４０とを備えることは、上述した通りである。図１９に図示した例では、図１６〜図１８に示した例と異なり、筐体７０内の空洞部７０ａも略直方体状である。また、発光素子２０の配置は、図１６〜図１８に示した例と同様である。
【０１２４】
一方、図２０に示すように、第１変更例に係る照明装置２−１は、筐体７０と、発光素子２０と、拡散反射部材３０と、光出射部４０とを備えることは、照明装置２と同様であるが、光出射部４０（貫通孔７０ｂ）の大きさ（径）を調整可能な遮光部材４６をさらに備えることが、照明装置２とは異なる。この遮光部材４６の形状や材質は、光を遮蔽するものであれば特に限定されるものではないが、遮光部材４６は、その筐体７０の内側に対応する面に、拡散反射部３０、すなわち、発光素子２０から出射された光を拡散反射させるための反射面を有している。これにより、発光素子２０から出射された光の多重拡散反射の回数を増加させることができる。
【０１２５】
また、遮光部材４６は、貫通孔７０ｂの径方向に往復移動可能なように設けられており、例えば、カメラの絞り機構のような構造を採用することができる。遮光部材４６がこのように貫通孔７０ｂの径方向に移動可能に設けられていることにより、照明装置２−１では、光出射部４０の大きさを所望の大きさに自在に調整することが可能となる。その結果、照明装置２−１では、その用途に応じて、光出射部４０から出射される光束の密度を所望の密度となるように調整することができる。
【０１２６】
≪第２変更例≫
次に、図２１を参照しながら、第２変更例に係る照明装置２−２について説明する。図２１は、本実施形態の第２変更例に係る照明装置２−２の構成を概略的に示す断面図である。
【０１２７】
図２１に示すように、第２変更例に係る照明装置２−２は、筐体７０と、発光素子２０と、拡散反射部材３０と、光出射部４０とを備えることは、照明装置２と同様であるが、貫通孔７１ｂに、光ファイバの単芯若しくは束、又は、透明ガラス若しくは透明樹脂等からなる透明なロッド体（図示した例では、光ファイバの束４７）が設置されている点で、照明装置２とは異なる。このように、貫通孔７１ｂに、光ファイバの単芯若しくは束、又は透明なロッド体等の、光出射部４０からの光を導光可能な部材を設けることで、光出射部４０から出射される光束を、他の導光体（図示せず。）に入射させることができる。その結果、導光体の種類を適宜選択することで、光出射部４０から出射された光束の断面形状と異なる断面形状の光束を被照射体に照射することができる。なお、図２１には、光ファイバの束４７に導光する場合を例に挙げているが、その他の光ファイバの単芯や透明なロッド体の場合でも同様である。また、ここでいう透明なロッド体とは、光が通ることが可能で、且つ、ロッド、繊維等の略線状の形状を有するものをいう。
【０１２８】
≪第３変更例≫
次に、図２２を参照しながら、第３変更例に係る照明装置２−３について説明する。図２２は、本実施形態の第３変更例に係る照明装置２−３の構成を概略的に示す断面図である。
【０１２９】
図２２に示すように、第３変更例に係る照明装置２−３は、上述した第２変更例と類似している。具体的には、第２変更例では、光出射部４０から出射された光を直接光ファイバの束４７等に導光しているが、第３変更例では、光出射部４０から出射された光を一旦ファイバテーパ４８で集光した後に光ファイバの束４７等に導光している。このように、本実施形態では、光出射部４０から出射された光を光ファイバ等に直接導光することもできるし、一旦ファイバテーパ４８で集光した後に光ファイバ等に導光することもできる。
【０１３０】
ここで、上述したように、光出射部４０の大きさ（本実施形態では、貫通孔７０ｂの径）を小さくし過ぎると、筐体７０内に封じ込められた光が外部に放出されないため、筐体７０内で何度も乱反射をし続けることになり、光が減衰してしまうという現象が起こる場合がある。このような場合に、第３変更例に係る照明装置２−３によれば、光出射部４０の大きさをある程度確保し、光束密度の高い状態で光出射部４０から光を出射し、これをファイバテーパ４８で集光させることにより、より高密度の光束を光ファイバの束４７等に導光することができる。
【０１３１】
≪第４変更例≫
次に、図２３を参照しながら、第４変更例に係る照明装置２−４について説明する。図２３は、本実施形態の第４変更例に係る照明装置２−４の構成を概略的に示す断面図である。
【０１３２】
図２３に示すように、第４変更例に係る照明装置２−４は、筐体７０と、発光素子２０と、拡散反射部材３０と、光出射部４０とを備えることは、照明装置２と同様であるが、光出射部４０（貫通孔７０ｂ）から出射された光の進行方向に光出射部４０から所定距離離隔した位置に集光レンズ（図２３の例では、略球状のレンズ）４９をさらに備えている点で、照明装置２とは異なる。この集光レンズ４９は、光出射部４０から出射した光束を線状又は点状に集光させる。言い換えると、光出射部４０から出射した後に、図２３の矢印で示したように、光出射部４０（貫通孔７０ｂ）の径が大きくなる方向に広がろうとする光束を、集光レンズ４９を通過させることで、光出射部４０の径が小さくなる方向に対して集光させることができる。
【０１３３】
（照明装置２の用途）
以上説明したような本実施形態に係る照明装置２及びこの各種変更例の用途としては、例えば、ハロゲン・メタルハライド光源と導光用光ファイバを組み合わせた照明装置の代替、医療用等で複数の波長を混合することが必要な用途、導光用のレンズやファイバを使用する必要のある用途、幅の狭いライン型照明を必要とする用途等が挙げられる。
【０１３４】
照明装置２を以上のような用途に使用すると、例えば、以下のような効果を得ることができる。
（１）ハロゲン・メタルハライド光源と導光用光ファイバを組み合わせた照明装置の代替
従来のものよりも光束密度を向上させることができると共に、強制空冷が不要となり、よりワーク（被照射物）に照明装置を近づけることができる。
（２）医療用等で複数の波長を混合することが必要な用途
複数の波長を混合することで、様々な色の光を被照射物に照射することができる。
（３）導光用のレンズやファイバを使用する必要のある用途
導光用のレンズやファイバを使用せずに、スリット状の開口部の長さを長く延ばしておけば、ムラの無い光をワーク（被照射物）に照射することができる。
（４）幅の狭いライン型照明を必要とする用途
例えば、Ｘ線レベルの波長を有する光を筐体１０内面で拡散反射できるようにすれば、スリット状の開口部の幅と同程度まで集光させた光をワーク（被照射物）に照射することができる。
【０１３５】
以上、図面を参照しながら本発明の好適な実施の形態について説明したが、本発明は上述した形態に限定されない。すなわち、特許請求の範囲に記載された発明の範囲内で当業者が想到し得る他の形態または各種の変更例についても本発明の技術的範囲に属するものと理解される。
【符号の説明】
【０１３６】
１      照明装置
２      照明装置
１０    筐体
１１    本体部
１１ａ  開口部
１２    本体支持部
１３    マスク部材
１３ａ  開口部
１４    発光素子基板
１５    基板支持部
２０    発光素子
３０    拡散反射部
４０    光出射部
４２    遮光部材
４３    導光板
４４    光ファイバがバンドルされた板（バンドル板）
４５    集光レンズ（ロッドレンズ）
４６    遮光部材
４７    光ファイバの束
４８    ファイバテーパ
４９    集光レンズ
５０    ヒートシンク（放熱用のフィン）
６０    透明体
７０    筐体
７０ａ  空洞部
７０ｂ  貫通孔
７１    本体部
７１ａ  窪み
７２    本体カバー部
７２ａ  窪み
７３    基板
【図１９】
2014110203.tif 000003
【図２０】
2014110203.tif 000004
【図２１】
2014110203.tif 000005
【図２２】
2014110203.tif 000006
【図２３】
2014110203.tif 000007
【図１】
2014110203.tif 000008
【図２】
2014110203.tif 000009
【図３】
2014110203.tif 000010
【図４】
2014110203.tif 000011
【図５】
2014110203.tif 000012
【図６】
2014110203.tif 000013
【図７】
2014110203.tif 000014
【図８】
2014110203.tif 000015
【図９】
2014110203.tif 000016
【図１０】
2014110203.tif 000017
【図１１】
2014110203.tif 000018
【図１２】
2014110203.tif 000019
【図１３】
2014110203.tif 000020
【図１４】
2014110203.tif 000021
【図１５】
2014110203.tif 000022
【図１６】
2014110203.tif 000023
【図１７】
2014110203.tif 000024
【図１８】
2014110203.tif 000025
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
筒状の形状を有する中空の筐体と、
前記筐体の内部に、前記筐体の長手方向に所定の間隔をおいて配置される１又は複数の発光素子と、
前記筐体の内面の少なくとも一部に設けられる反射面であり、前記発光素子から出射された光を多重拡散反射させる拡散反射部と、
前記筐体の長手方向に沿って形成されたスリット状の開口部として設けられ、前記発光素子から出射され前記拡散反射部で多重拡散反射された光を光束として前記筐体の外部へ出射する光出射部と、
を備え、
前記発光素子は、前記光出射部を通して前記筐体外部から前記筐体内部を見た場合の視野の範囲外に、前記光出射部を挟む２列の直線状に配置される
ことを特徴とする、照明装置。
【請求項２】
前記発光素子が、前記筐体の長手方向に千鳥配置となるように配置されることを特徴とする、請求項１に記載の照明装置。
【請求項３】
スリット状の前記光出射部の幅を調整可能な遮光部材をさらに備えることを特徴とする、請求項１又は２に記載の照明装置。
【請求項４】
前記遮光部材が、前記筐体内側の面に、前記発光素子から出射された光を拡散反射させる反射面を有することを特徴とする、請求項３に記載の照明装置。
【請求項５】
前記光出射部が、前記開口部に配置された均一な厚みを有する透明な導光板であることを特徴とする、請求項１〜４のいずれか一項に記載の照明装置。
【請求項６】
前記導光板が、光ファイバ又は屈折率分布型レンズの配列であることを特徴とする、請求項５に記載の照明装置。
【請求項７】
前記光ファイバ又は屈折率分布型レンズを、前記光出射部からの光の出射方向に対して３〜４０度をつけて配列させることを特徴とする、請求項６に記載の照明装置。
【請求項８】
前記光出射部の幅を０．１〜３．０ｍｍの範囲とし、
前記光出射部から所定距離離隔した位置に、前記光出射部の長手方向と平行に設置される棒状の集光レンズをさらに備え、
前記集光レンズは、前記光出射部から出射した光束を、前記光出射部の長手方向に対して直交する方向の長さが短くなるように集光させることを特徴とする、請求項１〜７のいずれか一項に記載の照明装置。
【請求項９】
前記発光素子が複数配置されており、
各発光素子の発光時間をそれぞれ独立的に制御する発光制御装置をさらに備えることを特徴とする、請求項１〜８のいずれか一項に記載の照明装置。
【請求項１０】
前記発光素子として、赤外光から紫外光までの複数種類の波長の光を出射する発光素子がそれぞれ単独又は複数配置されており、
それぞれの前記発光素子から出射された光を前記拡散反射部で拡散反射させることにより、複数種類の波長の光を混合させた混合光とし、前記混合光を前記光出射部から出射させることを特徴とする、請求項１〜９のいずれか一項に記載の照明装置。
【請求項１１】
前記発光素子として、赤外光から紫外光までの複数種類の波長の光を出射する発光素子がそれぞれ単独又は複数配置されており、
前記照明装置が設置される撮像装置の露光時間に同期させて各波長を有する発光素子を発光させる発光制御装置をさらに備えることを特徴とする、請求項１〜１０のいずれか一項に記載の照明装置。
【請求項１２】
前記発光素子が、発光ダイオード又はレーザであることを特徴とする、請求項１〜１１のいずれか一項に記載の照明装置。
【請求項１３】
前記筐体の外周面にヒートシンクが設けられることを特徴とする、請求項１〜１２のいずれか一項に記載の照明装置。
【請求項１４】
前記筐体内部の空洞部分の断面形状が、重心に対して点対称の形状を有することを特徴とする、請求項１〜１３のいずれか一項に記載の照明装置。
【請求項１５】
前記光出射部の幅が、前記筐体の内部の最大径に対して０．１％以上３０％以下の長さである、請求項１〜１４のいずれか一項に記載の照明装置。